(57)【要約】【課題】緊急である旨の音声メッセージの使用言語が、被報知者が理解する言語と異なっても、被報知者に伝えることができる緊急報知装置を提供する。【解決手段】緊急報知装置６は、緊急事態が発生したことを示す速報情報を受信する受信手段６１と、緊急情報を受信したことで、緊急事態発生の音声メッセージを再生する再生手段６２と、音声メッセージが複数の言語により格納されている記憶手段６３と、記憶手段６３に格納された４カ国語による音声メッセージのうち、再生される音声メッセージを再生手段６２に指定する押しボタンスイッチ６５とを備えている。受信手段６１は、ＲＪ−１１型の接続コネクタによりＥＩＡ−４８５で通信する親機と接続されている。【選択図】図２
2010246048.tif 000002
【特許請求の範囲】
【請求項１】
緊急事態発生の音声メッセージを再生する再生手段と、
前記音声メッセージが複数の言語により格納されている記憶手段と、
前記記憶手段に格納された複数の言語による音声メッセージのうち、再生される音声メッセージを前記再生手段に指定する選択手段とを備えたことを特徴とする緊急報知装置。
【請求項２】
緊急事態が発生したことを示す緊急情報を受信する受信手段を備え、
前記再生手段は、前記受信手段が緊急情報を受信したことで、前記選択手段により指定された言語の音声メッセージを再生する請求項１記載の緊急報知装置。
【請求項３】
前記受信手段は、ＲＪ−１１型の接続コネクタにより外部と接続される請求項２記載の緊急報知装置。
【請求項４】
前記再生手段は、前記選択手段により再生する音声メッセージの言語が変更されたときに、指定された新たな言語の音声メッセージを所定時間再生するものである請求項１から３のいずれかの項に記載の緊急報知装置。
【発明の詳細な説明】
【技術分野】
【０００１】
本発明は、緊急である旨の音声メッセージを再生して、被報知者に緊急事態の発生を報知する緊急報知装置に関する。
【背景技術】
【０００２】
従来の緊急報知装置として、特許文献１に記載されたものが知られている。この特許文献１に記載の緊急通報装置は、緊急通報用押しボタンスイッチが一定時間押されたことを検知すると、音声メモリに記憶されている緊急通報動作確認用音声信号を携帯電話機の音声増幅部に入力して携帯電話機から音声出力させて、通報者に緊急通報が正しいか否かの確認のための音声による問いかけを行い、通報者が正しい緊急通報であるとして再度緊急通報用押しボタンスイッチを一定時間押すとそれを検知して正しく緊急通報であることを確認し、後述の緊急通報先メモリにあらかじめ設定・記憶されている緊急通報先の電話番号を携帯電話機に入力して発呼開始するものである。
【先行技術文献】
【特許文献】
【０００３】
【特許文献１】特開２００４−４８１３４号公報
【発明の概要】
【発明が解決しようとする課題】
【０００４】
しかし、従来の緊急報知装置では、通報したい相手が外国人であった場合には、外国人に合った言語の音声で通話しないと、緊急事態を伝えることができない。
例えば、ホテルなどでは、様々な国の宿泊者がいるので、その都度、宿泊者の使用言語に合わせて装置を準備するのは大変である。
【０００５】
そこで本発明は、緊急である旨の音声メッセージの使用言語が、被報知者が理解する言語と異なっても、被報知者に伝えることができる緊急報知装置を提供することを目的とする。
【課題を解決するための手段】
【０００６】
本発明の緊急報知装置は、緊急事態発生の音声メッセージを再生する再生手段と、前記音声メッセージが複数の言語により格納されている記憶手段と、前記記憶手段に格納された複数の言語による音声メッセージのうち、再生される音声メッセージを前記再生手段に指定する選択手段とを備えたことを特徴とする。
本発明の緊急報知装置は、記憶手段に複数の言語の音声データによる音声メッセージが格納されているので、被報知者が使用言語に合わせて選択手段により再生される音声データを切り替えて指定することで、自分に合った音声メッセージを再生手段により再生することができる。
【０００７】
緊急事態が発生したことを示す緊急情報を受信する受信手段を備え、前記再生手段は、前記受信手段が緊急情報を受信したことで、前記選択手段により指定された言語の音声メッセージを再生するのが望ましい。本発明の緊急報知装置が受信手段を備えることで、外部から緊急事態が発生したことを示す緊急情報を受信したことにより、再生手段に音声メッセージを再生させることができる。従って、離れた場所から被報知者に緊急事態が発生したことを報知することができる。
【０００８】
前記受信手段が、ＲＪ−１１型の接続コネクタにより外部と接続されていると、ホテルの部屋や一般家庭などに設置して使用する場合に、容易に外部との接続を行うことができ、接続ケーブルも調達が容易である。
【０００９】
前記再生手段は、前記選択手段により再生する音声メッセージの言語が変更されたときに、指定された新たな言語の音声メッセージを所定時間再生するものであるのが望ましい。音声メッセージの言語を切り替えたときに、指定された新たな言語の音声メッセージが所定時間再生されるので、切り替わった音声メッセージを確認することができる。従って、確実に緊急事態の発生を伝えることができる。
【発明の効果】
【００１０】
本発明の緊急報知装置は、自分に合った音声メッセージを再生手段により再生することができるので、緊急である旨の音声メッセージの使用言語が異なっても、被報知者に伝えることができる。
【図面の簡単な説明】
【００１１】
【図１】本発明の実施の形態に係る緊急報知システムの全体を示す図である。
【図２】図１に示す緊急報知システムの緊急報知装置の構成を示す図である。
【発明を実施するための形態】
【００１２】
本発明の実施の形態に係る緊急報知システムを図面に基づいて説明する。図１は、本発明の実施の形態に係る緊急報知システムの全体を示す図である。
図１に示す緊急報知システム１は、地震の初期微動であるＰ波（第一波）の検出に基づいてＳ波（第二波）の到来を予報するものである。
【００１３】
緊急報知システム１は、地震速報を気象庁から受け、各配信先へ送信する情報配信業者の速報配信サーバ２と、インターネットなどのネットワークＷを介して速報配信サーバ２からの緊急情報である速報情報を受信する情報受信端末３と、情報受信端末３からの速報情報を受信する親機４と、親機４への設定などを行う管理用ＰＣ（Personal Computer）５と、親機４と施設内の電話回線により接続され、親機４からの速報情報に基づいて出力される音声メッセージにより地震の発生を報知することで緊急地震速報通報装置として機能する緊急報知装置６とを備えている。
情報受信端末３は、ネットワークＷと接続するためのＬＡＮポートと、親機４を接続するための３つの接点出力端子を有している。
親機４は、管理用ＰＣ５と接続するためのＵＳＢ（Universal Serial Bus）ポートと、緊急報知装置６と接続するためのＲＪ−１１型の接続コネクタとを有している。この親機４には、接続コネクタが８つ設けられており、マルチドロップ接続であれば１回線当たり３２台の緊急報知装置６の接続が可能であるため、全部で２５６台の接続が可能である。
情報受信端末３と、親機４と、管理用ＰＣ５と、緊急報知装置６とは、ホテルや介護施設、企業、学校、美術館や博物館などの施設に設置される。
【００１４】
ここで、緊急報知装置６の構成について、図２に基づいて詳細に説明する。図２は、図１に示す緊急報知システムの緊急報知装置の構成を示す図である。
【００１５】
緊急報知装置６は、例えば、施設の各部屋のテーブルやサイドボード、カウンター上に載置されたり、壁面に設置されたりするものである。緊急報知装置６は、受信手段６１と、再生手段６２と、記憶手段６３と、アドレス設定スイッチ６４と、押しボタンスイッチ６５と、音量設定スイッチ６６と、ランプ６７と、スピーカー６８とを備えている。
【００１６】
受信手段６１は、受信手段６１は、親機４とＥＩＡ（Electronic Industries Alliance）−４８５により通信したり、情報受信端末３と直接接続される場合には接点情報により速報情報を受信したりする機能を備えている。受信手段６１は、筐体に設けられた接続コネクタ６９と、壁面に設けられた既設の電話回線用の接続コネクタ７とケーブル８を介して接続される。壁面の接続コネクタ７は標準的なＲＪ−１１型なので、緊急報知装置６側の接続コネクタ６９を同じＲＪ−１１型とすることで、電話回線用の配線を流用した通信線と接続するケーブル８を、調達が容易な標準的な電話線とすることができる。
【００１７】
再生手段６２は、設定情報に基づいて音声メッセージを再生する機能を備えている。記憶手段６３は、音声メッセージや設定情報が格納された書換え可能な不揮発性メモリである。音声メッセージは、複数の言語による緊急避難を促すメッセージである。本実施の形態では、「日本語」、「英語」、「中国語」、「韓国語」による音声メッセージが準備されている。設定情報は、４カ国語の音声メッセージのうち、被報知者により再生が選択された音声メッセージを示す情報である。
【００１８】
アドレス設定スイッチ６４は、親機４とＥＩＡ−４８５で通信するときのアドレスを設定するためのスイッチである。本実施の形態では、「０」から「９」までが指定できるロータリースイッチを３個使用しているので、十進数で３桁のアドレスが指定可能である。
【００１９】
押しボタンスイッチ６５は、音声メッセージの切り換えることを再生手段６２へ通知して、複数の言語による音声メッセージのうち、再生される音声メッセージを指定する選択手段として機能するノンロックスイッチである。音量設定スイッチ６６は、音声メッセージを出力する音量を調整するためのもので、最大音量と最小音量を選択するディップスイッチである。ランプ６７は、被報知者に対して緊急避難を促すことをフラッシュによっても報知するためのＬＥＤ（Light Emitting Diode）である。スピーカー６８は、再生手段６２が再生する音声メッセージを出力する。
【００２０】
以上のように構成された本発明の実施の形態に係る緊急報知システム１の動作及び使用状態について、図面に基づいて説明する。
【００２１】
まず、緊急報知装置６の設置と、アドレス設定スイッチ６４及び音量設定スイッチ６６による設定とを行う。アドレス設定スイッチ６４による設定は、親機４が緊急報知装置６と通信するためのアドレスを、３個のロータリースイッチの回転部分を回して指定する。音量設定スイッチ６６による設定は、ディップスイッチのオフ・オンの組み合わせにより音声メッセージの再生の音量を最大音量又は最小音量のいずれかを指定する。
【００２２】
アドレス設定スイッチ６４によるアドレスの設定により、緊急報知装置６は個別に識別可能となる。親機４からは、この親機４に接続されている緊急報知装置６へ速報情報が送信可能となるだけでなく、親機４と緊急報知装置６との間で、生死監視のための通信を行うことができる。この生死監視した状態を、管理用ＰＣ５側でアドレスに対応付けて表示することで、異常が発生した緊急報知装置６を発見することが容易となる。また、管理用ＰＣ５から緊急報知装置６のアドレスを指定して、コマンドの送信などの制御を行うことができる。
【００２３】
施設の利用者（被報知者）は、押しボタンスイッチ６５を押下する。再生手段６２は、押しボタンスイッチ６５が押下されたことを検出すると、記憶手段６３から現在の設定情報を読み込む。例えば、現在の設定情報の再生言語情報が「英語」であるときは、再生言語情報を「中国語」に更新する。そして、再生手段６２は、記憶手段６３から中国語による緊急避難を促す音声メッセージを読み込みながら所定時間再生し、音量設定スイッチ６６により設定された音量でスピーカー６８から出力する。
【００２４】
利用者は、中国語による音声メッセージをスピーカー６８から聞き、利用者自身に合った言語か否かを確かめる。問題がなければこのままとする。音声メッセージが聞き取れない言語であれば、再度、押しボタンスイッチ６５を押下する。再生手段６２は、押しボタンスイッチ６５が押下されたことを検出すると、記憶手段６３から設定情報を読み込み、再生言語情報を「中国語」から「韓国語」に更新し、「韓国語」により音声メッセージを再生する。利用者は、これを繰り返することで、切り替わった音声メッセージを確認することができ、利用者自身に合った言語の音声メッセージを選択することができる。従って、緊急報知装置６は、確実に緊急事態の発生を利用者に伝えることができる。
【００２５】
利用者は、このようにして言語の選択が終われば、特に他の設定は不要である。ここで、地震が発生したとする。
地震は、気象庁側で検知される場合と、震源地に近ければ気象庁より先に情報受信端末３に内蔵された地震計により検知される場合があるが、情報受信端末３から親機４を介して緊急報知装置６へ送信される速報情報の流れは同じなので、本実施の形態では、気象庁が地震を検知する場合を説明する。
【００２６】
速報配信サーバ２は、気象庁から地震速報を受信した速報情報を、配信先の情報受信端末３へネットワークＷを介して送信する。速報配信サーバ２からの速報情報を受信した情報受信端末３は、親機４と接続する接点出力を有効にすることで接点情報を、施設内の電話回線用の配線を流用した通信線を通じて親機４へ送信する。親機４は、配下の緊急情報装置６へそれぞれのアドレスを指定して速報情報を送信する。
【００２７】
緊急報知装置６では、受信手段６１が親機４からの速報情報を受信することで、再生手段６２が記憶手段６３から再生言語情報を読み出す。この再生言語情報に基づいて記憶手段６３から音声メッセージを読み出して再生し、音量設定スイッチ６６の設定に基づいて出力する。例えば、再生言語情報が「日本語」で、緊急情報装置６が病院向けであれば、「強い地震が来ます。看護師の指示に従ってください。落ち着いて身の安全を確保してください。揺れが収まるまで身を守ってください。」等の音声メッセージがスピーカー６８から大音量で出力される。施設の利用者の理解可能な言語による音声メッセージが再生されることで、緊急事態が発生していることを伝えることができる。
また、再生手段６２は、音声メッセージを再生しながら、ランプ６７を点滅させ、利用者により一層の注意を促すことができる。
【００２８】
また、受信手段６１が、ＲＪ−１１型の接続コネクタ６９により外部と接続されているので、壁面に設けられたＲＪ−１１型の接続コネクタ７と、一般的な電話線により接続を行うことができ、接続ケーブルも調達が容易である。
【００２９】
本実施の形態では、緊急報知装置６が親機４を介して情報受信端末３に接続されているが、緊急報知装置６を管理用ＰＣ５で管理する必要がない場合には、親機４を介さず、複数台を直接情報受信端末３に直接接続することも可能である。この場合には、速報情報は、情報受信端末３からの接点出力を受信手段６１が受信して、再生手段６２が音声メッセージを再生する。
【００３０】
また、本実施の形態では、押しボタンスイッチ６５により音声メッセージを順次切り替えているが、２つの押しボタンスイッチを設け、切り替え順序を一方向だけでなく、切替を戻るようにしてもよい。また、ロータリースイッチなど音声メッセージを指定するようにしてもよい。更に、現在の再生される音声メッセージを液晶パネルや７セグメントＬＥＤなどの表示手段に表示させるようにしてもよい。緊急報知装置６に再生される音声メッセージの種類を表示する表示手段を設けることで、再生される言語が一目でわかるので、安心して使用することができる。
【００３１】
また、本実施の形態では、音声メッセージが「日本語」、「英語」、「中国語」、「韓国語」の４カ国語によるものであるが、施設を利用する利用者に応じてスペイン語、ポルトガル語、ロシア語、中国語でも北京語、上海語、広東語など適宜選択することができる。
【００３２】
また、記憶手段６３に格納された音声メッセージを書き替え可能とするようにしてもよい。この場合には、親機４が緊急報知装置６から再生言語情報を受信し、管理用ＰＣ５へ送信することで、管理用ＰＣ５から再生言語情報に対応する言語の音声メッセージを、親機４に中継させて緊急報知装置６へ送信する。そうすることで、施設の利用者に最適な言語の音声メッセージを逐次設定することができる。
【００３３】
また、本実施の形態では、緊急報知装置６を、地震速報を報知する緊急地震速報受信機として機能させているが、本発明は老人や要介護者の緊急事態を周囲に伝達する緊急通報装置などにも応用することができる。
【産業上の利用可能性】
【００３４】
本発明は、緊急である旨の音声メッセージを再生して、被報知者に緊急事態の発生を報知する緊急報知装置に好適であり、特に、地震の到来を予報する緊急地震速報通報装置に最適である。
【符号の説明】
【００３５】
１  緊急報知システム
２  配信サーバ
３  情報受信端末
４  親機
５  管理用ＰＣ
６  緊急報知装置
６１  受信手段
６２  再生手段
６３  記憶手段
６４  アドレス設定スイッチ
６５  押しボタンスイッチ
６６  音量設定スイッチ
６７  ランプ
６８  スピーカー
７  接続コネクタ
８  ケーブル
【図１】
2010246048.tif 000003
【図２】
2010246048.tif 000004